(57)【特許請求の範囲】
【請求項１】
被選別穀粒を粒径選別する選別部と、選別部に被選別穀粒を揚送搬入する昇降部とで構成され、前記選別部の被選別穀粒供給側に垂直姿勢ないしはそれに近い傾斜姿勢を保つ前記昇降部の揚送上端部がほぼ直行させた状態で前記選別部と昇降部とを仕切る隔壁を介して一体となって接続してあり、選別部の駆動軸心及び昇降部の駆動軸心を同一軸線上に配置した構成とし、上記昇降部及び選別部を同一軸により駆動する構成とするとともに、前記昇降部は、上部の駆動プーリと下部の従動プーリとに、被選別穀粒を揚送する多数の突起を有する搬送ベルトを懸架して成ることを特徴とする穀粒選別装置。
【請求項２】
選別部は、横長の回転選別網筒又は固定選別網筒内に回転撹拌体を備えた構成であり、昇降部の揚送上端部に備えた電動機により昇降部とともに選別部の回転選別網筒又は固定選別網筒内に回転撹拌体を回転駆動する構成としたことを特徴とする請求項１記載の穀粒選別装置。
【発明の詳細な説明】
【技術分野】
【０００１】
本発明は、玄米又は白米等の被選別穀粒を粒径、粒状により選別する穀粒選別装置に関するものである。
【背景技術】
【０００２】
籾摺機で籾摺りした玄米には、粒径の小さい未熟粒が混在していたり、また玄米を精米機で精白した白米には、精米によって穀粒の表面が摩擦や研削作用を受けるところから、穀粒の一部に破砕が生じたり変形が生じることが避けらず、未熟粒のほかに破砕粒や変形粒も混在している。このため、従来から、玄米又は精白米を粒状選別して屑粒を除去する穀物選別装置として回転する選別網筒を備えた構成のものが用いられており（特開２００６−２６４６６公報、特開２００８−６３２１公報、特開平１０−１５６１９９号公報参照）、選別網筒を固定してその内部で可撓性板の撹拌翼を回転させるものも開発されている（特開２００７−１５２３５１公報、特開２００５−２３８２０３公報、特開２００３−３２６１８０公報参照）。
【０００３】
また、前掲の特開２００７−１５２３５１公報、特開２００５−２３８２０３公報、特開２００３−３２６１８０公報に記載されている穀粒選別装置にあっては、被選別穀粒を投入するための揚穀機（昇降機）を併設することが行われており、なお、選別装置本体に昇降機を併設することについては、特開２００７−９８２７６公報、特開２００７−２１３８１公報及び特開２００７−２１３８２公報にそれぞれ記載されている。
【特許文献１】特開２００６−２６４６６公報
【特許文献２】特開２００８−６３２１公報
【特許文献３】特開平１０−１５６１９９号公報
【特許文献４】特開２００７−１５２３５１公報
【特許文献５】特開２００５−２３８２０３公報
【特許文献６】特開２００３−３２６１８０公報
【特許文献７】特開２００７−９８２７６公報
【特許文献８】特開２００７−２１３８１公報
【特許文献９】特開２００７−２１３８２公報
【発明の開示】
【発明が解決しようとする課題】
【０００４】
前掲の特許文献の一部にも紹介されているように、穀粒選別装置などの各種穀物調製装置においては、被調製穀物の搬入や搬出のための昇降機を用いているが、穀物調製装置とは別体の昇降機を併設したり、あるいは穀物調製装置に取り付けて使用する態様となってしまい、穀物調製装置の機能として本来ないしは多くの場合に必要とする昇降機能の一体化が図られず、殊に前掲の特開２００７−２１３８１公報に示す小型の穀粒選別機のように小型であることに利便性と汎用性が求められるものにあっては、昇降機を併設したり取り付けることにより、本来の有用性を著しく損なわれることが指摘されていた。
【０００５】
そこで本発明は、選別部の被選別穀粒供給側に昇降部の揚送上端部を接続して、昇降部の揚送上端部に装着した電動機で昇降部及び選別部を同一軸により駆動する構成として、穀粒選別装置そのものに、穀粒選別装置の機能として本来ないしは多くの場合に必要とする昇降機能を略完全に合体させ、もって利便性及び汎用性にすぐれた穀粒選別装置を提供することを目的とするものである。
【課題を解決するための手段】
【０００６】
上記目的を達成するため本発明に係る穀粒選別装置は、被選別穀粒を粒径選別する選別部と、選別部に被選別穀粒を揚送搬入する昇降部とで構成され、前記選別部の被選別穀粒供給側に垂直姿勢ないしはそれに近い傾斜姿勢を保つ前記昇降部の揚送上端部がほぼ直行させた状態で前記選別部と昇降部とを仕切る隔壁を介して一体となって接続してあり、選別部の駆動軸心及び昇降部の駆動軸心を同一軸線上に配置した構成とし、上記昇降部及び選別部を同一軸により駆動する構成としたことを特徴とするものである。
【０００７】
また、本発明に係る穀粒選別装置は、前記選別部は、横長の回転選別網筒又は固定選別網筒内に回転撹拌体を備えた構成であり、昇降部の揚送上端部に備えた電動機により昇降部とともに選別部の回転選別網筒又は固定選別網筒内に回転撹拌体を回転駆動する構成としたことを特徴とするものである。
【０００８】
さらに、本発明に係る穀粒選別装置は、昇降部は、上部の駆動プーリと下部の従動プーリとに、被選別穀粒を揚送する多数の突起を有する搬送ベルトを懸架して成ることを特徴とするものである。
【発明の効果】
【０００９】
本発明によれば、選別部の被選別穀粒供給側に昇降部の揚送上端部を接続して、昇降部の揚送上端部に装着した電動機で昇降部及び選別部を同一軸により駆動する構成として、穀粒選別装置そのものに、穀粒選別装置の機能として本来ないしは多くの場合に必要とする昇降機能を略完全に合体させものであるから、利便性及び汎用性にすぐれた穀粒選別装置を得ることができる。
【発明を実施するための最良の形態】
【００１０】
図面は本発明の一実施の形態に係る穀粒選別装置の全体を示す断面図、図２は同上要部の分解斜視図、図３は本発明の他の実施の形態に係る穀粒選別装置の全体を示す断面図である。
【００１１】
図１及び図２に示すように、本発明に係る穀粒選別装置１は、被選別穀粒を粒径選別する選別部２と、選別部２に被選別穀粒を揚送搬入する昇降部３とで構成されている。選別部２の被選別穀粒供給側には昇降部３の揚送上端部を接続してある。昇降部３の揚送上端部には、昇降部３及び選別部２を駆動する電動機４を装着してある。上記選別部２の駆動軸心及び昇降部３の駆動軸心同一軸線上に配置してあり、これら昇降部３及び選別部２は同一軸により電動機４に連動して駆動する構成となっている。図示の実施の形態では上記選別部２の駆動軸心、昇降部３の駆動軸心とともにこれらを駆動する電動機４の出力軸心も同一軸線上に配置してある。電動機４はギアモータである。
【００１２】
上記選別部２は、横長の回転選別網筒５を備えた構成であり、回転選別網筒５は被選別穀粒供給側から選別された良粒排出側に緩い角度で傾斜している。６は良粒排出樋、７は屑粒排出樋である。選別部２の被選別穀粒供給側には昇降部３の揚送上端部が接続されており、昇降部３は、上部の駆動プーリ８と下部の従動プーリ９とに、被選別穀粒を揚送する多数の突起１０を有する搬送ベルト１１を懸架して成るものである。１２はベルトテンションプーリ、１３は穀粒揚送路、１４は被選別穀粒投入ホッパである。
【００１３】
選別部２の被選別穀粒供給側と昇降部３の揚送上端部とは、選別部２と昇降部３とを仕切る隔壁１５を介して一体となっており、隔壁１５の下部には揚送穀粒の供給口１６が開口している。昇降部３は垂直姿勢ないしはそれに近い傾斜姿勢と成っている。昇降部３の下面は従動プーリ９の外周下部を取り巻く円弧状の案内壁１７を設けてあり、その穀粒揚送路１３に通じる部分は搬送方向に細長い糠取りメッシュ面となっている。
【００１４】
選別部２の回転選別網筒５は、その昇降部３の駆動プーリ８と軸１８により一体に連結して被選別穀粒供給端が回転支持されており、かつ良粒排出端は軸受１９により回転支持されている。そして、昇降部３の揚送上端部に装着されている電動機４と昇降部３の駆動プーリ８とが連結されていて、前述のように電動機４により昇降部３及び選別部２とが同一軸により駆動される構成となっている。図示の実施の形態では、電動機４の出力軸が前記軸１８を兼ねているので、電動機４の装着をもって昇降部３の駆動プーリ８及び選別部２の回転選別網筒５が同一軸構成により連結される（図２参照）。
【００１５】
なお、図示しないが、選別部２は横長の固定選別網筒内に回転撹拌体を備えた構成であってもよく、この場合には、電動機４により昇降部３とともに選別部２の固定選別網筒内に回転撹拌体を回転駆動する構成となるものである。
【００１６】
本発明に係る穀粒選別装置１は、図３に示すように、昇降部３及び選別部２を駆動する電動機４を選別部２の良粒排出端側に装着して、電動機４の出力軸を選別部２の回転選別網筒５に連結した構成とすることができる。なお、この実施の態様においてその他の構成は図１及び図２に示すものと同様であるから、同符号を付して説明を省略する。
【００１７】
本発明に係る穀粒選別装置１において、被選別穀粒投入ホッパ１４に投入された被選別穀粒は昇降部３により揚送され、選別部２にその被選別穀粒供給側より供給される。選別部２ではその回転選別網筒５により屑粒が選別除去され、良穀粒は良粒排出樋６から排出される。
【００１８】
なお、図示の実施の形態では、昇降部３の搬送ベルト１１として突起１０を有するものを用いているが、搬送ベルト１１自体を抵抗を有する材質としたり、搬送ベルト１１の搬送側となる周面を被選別穀粒に揚送作用を与える抵抗面とすることによっても構成することができる。図示の実施の形態では、昇降部３が垂直姿勢となっているが、やや傾斜させた姿勢としてもよいことは勿論である。
【００１９】
本発明に係る穀粒選別装置１によれば、前述のように選別部２と昇降部３とが略完全に一体化されており、全体として１つに纏まった装置としての形態を呈するので、利便性が高くしかも汎用性にすぐれたものとなる。
【図面の簡単な説明】
【００２０】
【図１】本発明の一実施の形態に係る穀粒選別装置の全体を示す断面図である。
【図２】同上要部の分解斜視図である。
【図３】本発明の他の実施の形態に係る穀粒選別装置の全体を示す断面図である。
【符号の説明】
【００２１】
１  穀粒選別装置
２  選別部
３  昇降部
４  電動機
５  回転選別網筒
６  良粒排出樋
７  屑粒排出樋
８  駆動プーリ
９  従動プーリ
１０  突起
１１  搬送ベルト
１２  ベルトテンションプーリ
１３  穀粒揚送路
１４  被選別穀粒投入ホッパ
１５  隔壁
１６  揚送穀粒の供給口
１７  案内壁
１８  軸
１９  軸受
【図１】
0004949286.tif 000002
【図２】
0004949286.tif 000003
【図３】
0004949286.tif 000004